(57)【要約】【課題】複数のコンセントを有するテーブルタップ本体に、各コンセントに対応させて電源スイッチが設けられたテーブルタップにおいて、各コンセントに接続された電気機器を表示することが可能なテーブルタップおよび電源プラグを提供することにある。【解決手段】本発明は、電源を供給する電気機器の電源プラグにおいて、該機器を識別する電気機器識別情報を記憶する記憶手段を有することを特徴とする電源プラグと、複数のコンセントを有しており、各コンセントに対応して電源スイッチが設けられたテーブルタップにおいて、該タップが、電気機器識別情報を記憶する記憶手段を有する電源プラグに記憶されている該識別情報を読み出す読み出し手段と、該識別情報を表示する表示手段とを有することを特徴とするテーブルタップを提供する。【選択図】  図１
2006196324.tif 000002
【特許請求の範囲】
【請求項１】
電源を供給する電気機器の電源プラグにおいて、該機器を識別する電気機器識別情報を記憶する記憶手段を有することを特徴とする電源プラグ。
【請求項２】
複数のコンセントを有しており、各コンセントに対応して電源スイッチが設けられたテーブルタップにおいて、該タップが、
電気機器識別情報を記憶する記憶手段を有する電源プラグに記憶されている該識別情報を読み出す読み出し手段と、
該識別情報を表示する表示手段とを有することを特徴とするテーブルタップ。
【請求項３】
前記電源プラグにおいて、電気機器を識別する電気機器識別情報と電気機器消費電力を記憶する記憶手段を有することを特徴とする電源プラグ。
【請求項４】
前記テーブルタップが、電気機器識別情報と電気機器消費電力を記憶する記憶手段を有する電源プラグに記憶されている該識別情報と該消費電力を読み出す読み出し手段と、
該識別情報と該消費電力を表示する表示手段と、
該消費電力の総計電気機器消費電力を演算する演算手段と、
予め設定されたテーブルタップの電気容量を該総計消費電力が超過している場合にインジケータを点灯する点灯手段とを有することを特徴とするテーブルタップ。
【請求項５】
前記記憶手段が、書き換え可能なＩＣタグである請求項１または３記載の電源プラグ。
【請求項６】
前記表示手段が、各コンセントに対応して設けられた表示素子である請求項２または４記載のテーブルタップ。
【発明の詳細な説明】
【技術分野】
【０００１】
本発明は、複数のコンセントを有するテーブルタップ本体に、各コンセントに対応させて電源スイッチが設けられたテーブルタップにおいて、各コンセントに接続された電気機器を表示することが可能なテーブルタップおよび電源プラグに関する。
【背景技術】
【０００２】
近年、コンピュータに代表される電子情報機器の普及により、プリンタ、モニタなど複数の電気機器に電源を供給する必要がある。しかし、壁などに設けられた電源供給コンセントの数は限られているため、複数のコンセントを有するテーブルタップ、マルチタップ、電源分配器などを用いて電源供給を行うことが一般的に行われている。
【０００３】
複数のコンセントを有するテーブルタップ本体に、電源スイッチが設けられたものがある（例えば特許文献１、２参照。）。このテーブルタップでは、電源使用後にテーブルタップからプラグを抜かなくても、電源スイッチをオフにすることで、プラグ側の電源回路の無駄な電力消費をなくすことができる。また、プラグを頻繁に抜く必要がないので、コンセントやプラグの消耗を少なくできる。
【０００４】
また、複数のコンセントを有するテーブルタップ本体に、各コンセントに対応させて電源スイッチが設けられたものがある（例えば特許文献３参照）。このテーブルタップでは、コンセント毎に電源の切り換えが可能となる。よって、ＡＣアダプタなどのプラグを差し込んだままでも無駄な電力を消費しない。また、使用後にプラグを抜く必要がない。
【特許文献１】特開昭５８−１５５６８３号公報
【特許文献２】実開昭６１−１２６５８１号公報
【特許文献３】特開平１１−００８０３２号公報
【発明の開示】
【発明が解決しようとする課題】
【０００５】
例えば、コンピュータの場合、家庭用電気機器とは異なり、テーブルタップで電源スイッチをオフする前に、コンピュータで行っているワープロ、表計算などの作業を完了し、オペレーティングシステムのシャットダウンまたは停止などを行う必要がある。
【０００６】
また、最近では、デジタルカメラなどで撮影した画像データが入力されているメモリカードを、インクジェットプリンタに差し込むことで、コンピュータを使用しないで、印刷できるインクジェットプリンタが開発されている。
【０００７】
特許文献３に示される複数のコンセントを有するテーブルタップ本体に、各コンセントに対応させて電源スイッチが設けられたテーブルタップにおいて、上記のコンピュータおよびインクジェットプリンタが接続されている場合、用途に応じて各コンセントに対応させて電源スイッチをオンまたはオフすることが可能である。
【０００８】
しかし、テーブルタップの各コンセントに対応させた電源スイッチには、何も表示されていないため、印刷が完了した時にインクジェットプリンタでは無く、コンピュータの電源スイッチをオフしたために、ワープロ、表計算で作成したデータが消滅したり、オペレーティングシステムの破壊などが起きる。
【０００９】
本発明の目的は、複数のコンセントを有するテーブルタップ本体に、各コンセントに対応させて電源スイッチが設けられたテーブルタップにおいて、各コンセントに接続された電気機器を表示することが可能なテーブルタップおよび電源プラグを提供することにある。
【課題を解決するための手段】
【００１０】
本発明者は、上記問題点を解決するために鋭意検討の結果、本発明のテーブルタップおよび電源プラグを発明するに至った。
【００１１】
すなわち、電源を供給する電気機器の電源プラグにおいて、該機器を識別する電気機器識別情報を記憶する記憶手段を有することを特徴とする電源プラグである。
【００１２】
また、複数のコンセントを有しており、各コンセントに対応して電源スイッチが設けられたテーブルタップにおいて、該タップが、電気機器識別情報を記憶する記憶手段を有する電源プラグに記憶されている該識別情報を読み出す読み出し手段と、該識別情報を表示する表示手段とを有することを特徴とするテーブルタップである。
【００１３】
また、本発明は前記電源プラグにおいて、電気機器を識別する電気機器識別情報と電気機器消費電力を記憶する記憶手段を有することを特徴とする電源プラグである。
【００１４】
また、本発明は前記テーブルタップが、電気機器識別情報と電気機器消費電力を記憶する記憶手段を有する電源プラグに記憶されている該識別情報と該消費電力を読み出す読み出し手段と、該識別情報と該消費電力を表示する表示手段と、該消費電力の総計電気機器消費電力を演算する演算手段と、予め設定されたテーブルタップの電気容量を該総計消費電力が超過している場合にインジケータを点灯する点灯手段とを有することを特徴とするテーブルタップである。
【００１５】
また、本発明は前記記憶手段が、書き換え可能なＩＣタグである電源プラグである。
【００１６】
また、本発明は前記表示手段が、各コンセントに対応して設けられた表示素子であるテーブルタップである。
【発明の効果】
【００１７】
本発明は、複数のコンセントを有するテーブルタップ本体に、各コンセントに対応させて電源スイッチが設けられたテーブルタップにおいて、各コンセントに接続された電気機器を表示することが可能なテーブルタップおよび電源プラグを提供する。
【発明を実施するための最良の形態】
【００１８】
以下、本発明のテーブルタップおよび電源プラグについて、図を用いて詳細に説明する。
【００１９】
図１は本発明における第１形態のテーブルタップおよび電源プラグの構成図である。また、図２は本発明における第１形態のテーブルタップのブロック図である。
【００２０】
本発明において、ＩＣタグ２ａは電源プラグ２の内部に埋め込まれている。テーブルタップ１は、テーブルタップコード３と、テーブルタップ電源プラグ４と、コンセント３０、３１、３２、３３、３４と、各コンセントに対応させた電源スイッチ２０、２１、２２、２３、２４と、各コンセントの内部にＩＣタグリーダ３０ａ、３１ａ、３２ａ、３３ａ、３４ａを内蔵し、各コンセントに差し込まれた電源プラグ２のＩＣタグ２ａに記憶されている電気機器識別情報を表示する各コンセントに対応させた表示素子１０、１１、１２、１３、１４を備えている。
【００２１】
図示していないが、一般的なテーブルタップ同様に、コンセント３０、３１、３２、３３、３４は、互いに電気的に並列にテーブルタップコード３と接続されている。また、電源スイッチ２０、２１、２２、２３、２４は、それぞれコンセント３０、３１、３２、３３、３４とテーブルタップコード３との間に電気的に接続されている。使用者は、この電源スイッチ２０、２１、２２、２３、２４をオン、オフ操作することで、各コンセント３０、３１、３２、３３、３４の電源供給状態を切り替えることができる。
【００２２】
本発明において、ＩＣタグ２ａが電源プラグ２の内部に埋め込まれている。このＩＣタグ２ａには、予め電源プラグ２が接続されている電気機器の電気機器識別情報が書き込まれている必要がある。
【００２３】
ＩＣタグ２ａとは、無線自動認識ＩＣチップであり、ＲＦＩＤ（Ｒａｄｉｏ  Ｆｒｅｑｕｅｎｃｙ  Ｉｄｅｎｔｉｆｉｃａｔｉｏｎ）と同類のものである。本発明においては、ＩＣチップ内に予め電気機器識別情報および電気機器消費電力を記録する必要があり、最も適した無線自動認識ＩＣチップとして、日立製作所製の書き換え型の「ミューチップＲＷ」が電源不要で且つ小型な事から好ましい。
【００２４】
ＩＣタグ２ａに書き込む電気機器識別情報は、使用する無線自動認識ＩＣチップのメモリサイズにより決定される。例えば、コンピュータの場合は「ＰＣ  ＰＣ−ＸＸＸＸ」、プリンタは「ＰＲＩＮＴＥＲ  ＰＲ−ＸＸＸＸ」などの一般的な略称と型番を記録することが、メモリサイズが小さいＩＣチップで使用できることから望ましい。この電気機器識別情報は、電気機器を製造しているメーカが予め記録しておくことが望ましい。
【００２５】
ＩＣタグリーダ３０ａ、３１ａ、３２ａ、３３ａ、３４ａは、ＩＣタグ２ａ専用の読み出し装置で、ＩＣチップ内の電気機器識別情報および電気機器消費電力を非接触で読み出す機能を備えていれば良く、特に限定されない。
【００２６】
表示素子１０、１１、１２、１３、１４は、ＩＣタグリーダ３０ａ、３１ａ、３２ａ、３３ａ、３４ａが読み出した電気機器識別情報を表示する。例えば、液晶表示素子、ＥＬ表示素子などがあるが、読み出した電気機器識別情報を表示可能で有れば良く、特に限定されない。
【００２７】
電源スイッチ２０、２１、２２、２３、２４は、交流用の一般的なものであり、オン、オフ操作で、各コンセント３０、３１、３２、３３、３４の電源供給状態を切り替えできれば良く、特に限定されない。
【００２８】
図２のテーブルタップのブロック図を用いて、記憶手段に記憶されている電気機器識別情報を読み出す読み出し手段と、電気機器識別情報を表示する表示手段について説明する。
【００２９】
記憶手段に記憶されている電気機器識別情報を読み出す読み出し手段は、Ｓｔｅｐ１で例えばコンセント３０に電源プラグ２が差し込まれたことを検知すると、Ｓｔｅｐ２でＩＣタグリーダ３０ａは電源プラグ２の内部埋め込まれているＩＣタグ２ａに記憶されている電気機器識別情報の読み出しを行う。
【００３０】
Ｓｔｅｐ１の電気電源プラグの有無検知は、ＩＣタグリーダ３０ａがＩＣタグ２ａを検知することで可能である。
【００３１】
電気機器識別情報を表示する表示手段は、Ｓｔｅｐ３でＩＣタグリーダ３０ａが読み出した電気機器識別情報を表示素子１０に表示する。
【００３２】
本発明の第１形態のテーブルタップおよび電源プラグについて図を用いて説明したが、テーブルタップのコンセント数、表示素子、スイッチ配置など、上記の構成に限定されない。
【００３３】
次に本発明の第２形態のテーブルタップおよび電源プラグについて図を用いて詳細に説明する。但し、第１形態と重複する部分は省略する。
【００３４】
図３は本発明における第２形態のテーブルタップおよび電源プラグの構成図である。また、図４は本発明における第２形態のテーブルタップのブロック図である。
【００３５】
本発明において、ＩＣタグ２ａは電源プラグ２の内部に埋め込まれている。テーブルタップ５は、テーブルタップコード３と、テーブルタップ電源プラグ４と、コンセント３０、３１、３２、３３、３４と、各コンセントに対応させた電源スイッチ２０、２１、２２、２３、２４と、各コンセントの内部にＩＣタグリーダ３０ａ、３１ａ、３２ａ、３３ａ、３４ａを内蔵し、各コンセントに差し込まれた電源プラグ２のＩＣタグ２ａに記憶されている電気機器識別情報を表示する各コンセントに対応させた表示素子５０、５１、５２、５３、５４と、テーブルタップの電気容量を超過した場合に点灯するインジケータ６を備えている。
【００３６】
本発明において、ＩＣタグ２ａが電源プラグ２の内部に埋め込まれている。このＩＣタグ２ａには、予め電源プラグ２が接続されている電気機器の電気機器識別情報と電気機器消費電力が書き込まれている必要がある。
【００３７】
ＩＣタグ２ａに書き込む電気機器識別情報と電気機器消費電力は、使用する無線自動認識ＩＣチップのメモリサイズにより決定される。例えば、コンピュータの場合は「ＰＣ  ＰＣ−ＸＸＸＸ  ３００Ｗ」、プリンタは「ＰＲＩＮＴＥＲ  ＰＲ−ＸＸＸＸ  ２００Ｗ」などの一般的な略称と型番と電気機器消費電力を記録することが、メモリサイズが小さいＩＣチップで使用できることから望ましい。この電気機器識別情報と電気機器消費電力は、電気機器を製造しているメーカが予め記録しておくことが望ましい。
【００３８】
図４のテーブルタップのブロック図を用いて、記憶手段に記憶されている電気機器識別情報と電気機器消費電力を読み出す読み出し手段と、電気機器識別情報と電気機器消費電力を表示する表示手段と、電気機器消費電力の総計電気機器消費電力を演算する演算手段と、予め設定されたテーブルタップの電気容量を総計電気機器消費電力が超過している場合にインジケータを点灯する点灯手段について説明する。
【００３９】
記憶手段に記憶されている電気機器識別情報と電気機器消費電力を読み出す読み出し手段は、Ｓｔｅｐ１で例えばコンセント３０に電源プラグ２が差し込まれたことを検知すると、Ｓｔｅｐ２でＩＣタグリーダ３０ａは電源プラグ２の内部埋め込まれているＩＣタグ２ａに記憶されている電気機器識別情報と電気機器消費電力の読み出しを行う。
【００４０】
Ｓｔｅｐ１の電源プラグの有無検知は、ＩＣタグリーダ３０ａがＩＣタグ２ａを検知することで可能である。
【００４１】
電気機器識別情報と電気機器消費電力を表示する表示手段は、Ｓｔｅｐ３でＩＣタグリーダ３０ａが読み出した電気機器識別情報と電気機器消費電力を表示素子５０に表示する。
【００４２】
上記は、コンセント３０に電源プラグ２が差し込まれた場合であるが、コンセント３１、３２、３３、３４、表示素子５１、５２、５３、５４についても同様である。
【００４３】
電気機器消費電力の総計電気機器消費電力を演算する演算手段は、Ｓｔｅｐ４でＩＣタグリーダ３０ａ、３１ａ、３２ａ、３３ａ、３４ａが読み出した電気機器消費電力を合算し、総計電気機器消費電力を演算する。
【００４４】
また、電気機器消費電力の総計電気機器消費電力を演算する演算手段は、Ｓｔｅｐ４でＩＣタグリーダ３０ａ、３１ａ、３２ａ、３３ａ、３４ａが読み出した電気機器消費電力を、各電源スイッチ２０、２１、２２、２３、２４がオン状態の電気機器消費電力のみを合算し、総計電気機器消費電力とすることも可能である。
【００４５】
予め設定されたテーブルタップの電気容量を総計電気機器消費電力が超過している場合にインジケータを点灯する点灯手段は、Ｓｔｅｐ５で総計電気機器消費電力とテーブルタップの電気容量を比較し、総計電気機器消費電力がテーブルタップの電気容量を超過した場合にインジケータ６を点灯する。
【００４６】
インジケータ６は、電球、ＬＥＤ、液晶表示素子、ＥＬ表示素子などのが使用可能であるが、特に限定されない。
【００４７】
本発明のテーブルタップおよび電源プラグを説明したが、テーブルタップのコンセント数、表示素子、スイッチ配置など、上記の構成に限定されない。
【産業上の利用可能性】
【００４８】
本発明によれば、複数のコンセントを有するテーブルタップ本体に、各コンセントに対応させて電源スイッチが設けられたテーブルタップにおいて、各コンセントに接続された電気機器を表示することが可能なテーブルタップおよび電源プラグを提供することが可能である。
【図面の簡単な説明】
【００４９】
【図１】本発明における第１形態のテーブルタップおよび電源プラグの構成図である。
【図２】本発明における第１形態のテーブルタップのブロック図である。
【図３】本発明における第２形態のテーブルタップおよび電源プラグの構成図である。
【図４】本発明における第２形態のテーブルタップのブロック図である。
【符号の説明】
【００５０】
１  第１形態のテーブルタップ
２  電源プラグ
２ａ  ＩＣタグ
３  テーブルタップコード
４  テーブルタップ電源プラグ
５  第２形態のテーブルタップ
６  インジケータ
１０、１１、１２、１３、１４  第１形態の表示素子
２０、２１、２２、２３、２４  電源スイッチ
３０、３１、３２、３３、３４  コンセント
３０ａ、３１ａ、３２ａ、３３ａ、３４ａ  ＩＣタグリーダ
５０、５１、５２、５３、５４  第２形態の表示素子
【図１】
2006196324.tif 000003
【図２】
2006196324.tif 000004
【図３】
2006196324.tif 000005
【図４】
2006196324.tif 000006